(57)【要約】【課題】ドア下端用気密機構の可動部の側壁外面とドア下端用気密機構の筺体の側壁の内面との間の僅かな隙間（ギャップ）を介してドアの内外の空気が流通することを可能な限り防止して、可動部が降下した状態で、その下端がドア枠の下部に密着して機密状態が保たれた状態のとき、ドアの内外の空気の流通を従来に比して格段に阻止することができるドア下端用気密機構並びにかかる機構を有するドア及びドアアセンブリを提供する。【解決手段】ドア下端用気密機構の可動部（１４）の側壁（１４Ａ）外面とドア下端用気密機構の筺体（１２）の側壁（１４Ａ）の内面との間の僅かな隙間（ギャップ）を極力少なくするために、可動部の両側壁の少なくとも一方の外面、あるいは前記筺体の２つの側壁の少なくとも一方の内面にテープ状のシール部（１８）を設けた。【選択図】図1
2014114688.tif 000002
【特許請求の範囲】
【請求項１】
ドアの下端に取り付けられ、筺体の内部空間内に収容され前記ドアが第１の位置にあるとき上方に位置し、前記ドアが第２の位置にあるとき、スライド機構により下方に移動してドア枠の下部又は床面に密着する可動部を有するドア下端用気密機構において、
前記可動部の両側壁の少なくとも一方の外面、あるいは前記筺体の２つの側壁の少なくとも一方の内面にテープ状のシール部を設けたことを特徴とするドア下端用気密機構。
【請求項２】
前記シール部が弾性体からなることを特徴とする請求項１に記載のドア下端用気密機構。
【請求項３】
前記シール部が片面テープである請求項１又は２に記載のドア下端用気密機構。
【請求項４】
前記シール部が前記可動部あるいは前記筐体の全長にわたって設けられている請求項１から３のいずれか１つに記載のドア下端用気密機構。
【請求項５】
請求項１から４のいずれか１つに記載のドア下端用気密機構を有するドア。
【請求項６】
請求項１から４のいずれか１つに記載のドア下端用気密機構を有するドアと、前記ドアがヒンジで取り付けられるドア枠と、前記ドア及び／又は前記ドア枠の３方に取り付けられたシール部材とを有するドアアセンブリ。
【請求項７】
請求項１から４のいずれか１つに記載のドア下端用気密機構を有するドアと、前記ドアがヒンジで取り付けられるドア枠と、前記ドア枠の３方にそれぞれ取り付けられたシール部材とを有し、前記シール部材の突起部が前記ドアの一方の面に向かう方向で前記各シール部材が前記ドア枠に取り付けられているドアアセンブリ。
【発明の詳細な説明】
【技術分野】
【０００１】
本発明は、ドア下端用気密機構に関し、特に開き戸又は引き戸の下端に取り付けられ、ドアの開閉に伴い上下動する可動部を有する気密機構の改良に関する。また、本発明はかかるドア下端用気密機構を有するドア並びにドア下端用気密機構を有するドアを含むドアアセンブリに関する。
【背景技術】
【０００２】
従来のドア下端用気密機構（遮煙機構と称されるものを含む）においては、スライド機構によりプランジャーと呼ばれる可動部が上下に移動可能とされ、ドアが開いた状態のときは、可動部が上方に位置することにより、可動部の下端がドア枠の下部又は床面から離れた位置にあり、ドアが閉められると、スライド機構により可動部が下方に移動し、可動部の下端がドア枠の下部又は床面に密着してドア下部においてドアの内外の気密性を保つ構造となっている。
【０００３】
従来のかかるドア下端用気密機構では、スライド機構により上下に移動可能な可動部が、ドア下端用気密機構の筺体内部の空間内で上下に移動する構造となっているが、可動部の両側部の外壁がドア下端用気密機構の筺体の内壁に沿って上下動する。下記の非特許文献１には、株式会社ベストの製品であるスーパータイト（型番５５８−１他）が示され、また、下記の非特許文献２には、株式会社シブタニの製品であるオートドアボトム（型番ＤＢ４００他）が示されている。
【先行技術文献】
【非特許文献】
【０００４】
【非特許文献１】http://best.rockeys.biz/251_791.html
【非特許文献２】http://www.shibutani.co.jp/products/products_pdf/p32-p33.pdf#021924
【発明の概要】
【発明が解決しようとする課題】
【０００５】
従来のかかるドア下端用気密機構では、可動部がドア下端用気密機構の筺体の内部空間で移動可能であるようにするため、可動部の側壁外面とドア下端用気密機構の筺体の側壁内面との間を密着構造とすることができず、可動部の側壁外面とドア下端用気密機構の筺体の側壁内面との間には僅かな隙間（ギャップ）が存在する。したがって、ドア下端用気密機構の可動部の下端では気密状態が保たれた状態であったとしても、この僅かな隙間を介して空気がドアの内外で流通してしまうという問題があった。
【０００６】
本発明は、ドア下端用気密機構の可動部の側壁外面とドア下端用気密機構の筺体の側壁内面との間の僅かな隙間（ギャップ）を介してドアの内外の空気が流通することを可能な限り防止して、可動部が降下した状態で、その下端がドア枠の下部に密着して気密状態が保たれた状態のとき、ドアの内外の空気の流通を従来に比して格段に阻止することができるドア下端用気密機構を提供することを目的とする。また本発明は、かかるドア下端用気密機構を有するドア並びにドア下端用気密機構を有するドアを含むドアアセンブリを提供することを目的とする。
【課題を解決するための手段】
【０００７】
上記目的を達成するため、本発明ではドア下端用気密機構の可動部の側壁外面とドア下端用気密機構の筺体の側壁の内面との間の僅かな隙間（ギャップ）を極力少なくするために、可動部の両側面の少なくとも一方の外壁、あるいは前記筺体の２つの内壁の少なくとも一方の内壁にテープ状のシール部を設けたものである。
【０００８】
すなわち本発明によれば、ドアの下端に取り付けられ、筺体の内部空間内に収容され前記ドアが第１の位置にあるとき上方に位置し、前記ドアが第２の位置にあるとき、スライド機構により下方に移動してドア枠の下部又は床面に密着する可動部を有するドア下端用気密機構において、
前記可動部の両側壁の少なくとも一方の外面、あるいは前記筺体の２つの側壁の少なくとも一方の内面にテープ状のシール部を設けたことを特徴とするドア下端用気密機構が提供される。
【０００９】
また、前記シール部が弾性体からなることは、本発明の好ましい態様の１つである。
【００１０】
また、前記シール部が片面テープであることは、本発明の好ましい態様の１つである。
【００１１】
また、前記シール部が前記可動部あるいは前記筐体の全長にわたって設けられていることは、本発明の好ましい態様の１つである。
【００１２】
また、本発明によれば上記のいずれかの態様のドア下端用気密機構を有するドアが提供される。
【００１３】
また、本発明によれば上記いずれかの態様のドア下端用気密機構を有するドアと、前記ドアがヒンジで取り付けられるドア枠と、前記ドア及び／又は前記ドア枠の３方に取り付けられたシール部材とを有するドアアセンブリが提供される。
【００１４】
また、本発明によれば上記いずれかの態様のドア下端用気密機構を有するドアと、前記ドアがヒンジで取り付けられるドア枠と、前記ドア枠の３方にそれぞれ取り付けられたシール部材とを有し、前記シール部材の突起部が前記ドアの一方の面に向かう方向で前記各シール部材が前記ドア枠に取り付けられているドアアセンブリが提供される。
【発明の効果】
【００１５】
本発明によれば、ドア下端用気密機構の可動部の側面外壁とドア下端用気密機構の筺体の内壁との間の僅かな隙間（ギャップ）を極力少なくするために、可動部の両側壁の少なくとも一方の外面、あるいは前記筺体の２つの側壁の少なくとも一方の内面にテープ状のシール部を設けたので、ドア内外での空気の流通が極めて制限され、気密効果、防煙(遮煙)効果の高いドア下端用気密機構並びにドア下端用気密機構を有するドア並びにドア下端用気密機構を有するドアを含むドアアセンブリが提供される。
【図面の簡単な説明】
【００１６】
【図１】本発明のドア下端用気密機構の第１の実施の形態を示す断面図である。
【図２】図１の第１の実施の形態において可動部(プランジャー)が下降した状態を示す断面図である。
【図３Ａ】図１に示すドア下端用気密機構が装着されたドアを含むドアアセンブリを示す斜視図である。
【図３Ｂ】図３Ａに示したドアアセンブリの部分省略横断面図である。
【図３Ｃ】図３Ａ、図３Ｂに示したドアアセンブリの変形例の部分省略横断面図である。
【図３Ｄ】図３Ａ、図３Ｂに示したドアアセンブリの変形例の部分省略縦断面図である。
【図４】図１に示すドア下端用気密機構を構成する筺体の断面図である。
【図５】図１に示すドア下端用気密機構を構成する可動部（プランジャー）の本体の外面に、テープ状のシール部が貼り付けられた状態を示す断面図である。
【図６】図１に示すドア下端用気密機構を構成する上部弾性部材の断面図である。
【図７】図１に示すドア下端用気密機構を構成する下部弾性シール部材の断面図である。
【図８】本発明のドア下端用気密機構の第２の実施の形態において筐体の内面に、テープ状のシール部が貼り付けられた状態を示す断面図である。
【図９】表１の結果を示すグラフである。
【図１０】表２の結果を示すグラフである。
【発明を実施するための形態】
【００１７】
以下、図面を参照して本発明の好ましい実施の形態について説明する。図１は、本発明のドア下端用気密機構の第１の実施の形態を示す断面図である。このドア下端用気密機構１０は、図３Ａに示されるように、ドア３０の下端部に設けられた図示省略の溝部の内部に取り付けられる。なお本発明のドア下端用気密機構は、開き戸（スイングドア）及び、引き戸（スライディングドア）のいずれにも適用可能である。
【００１８】
図１において、第１の実施の形態のドア下端用気密機構１０は、下向き略Ｕ字状空洞（以下単にＵ字状空洞という）１２Ｇを有する筐体１２と、Ｕ字状空洞１２Ｇの内部で図中上下に移動可能に取り付けられた可動部として動作するプランジャー１４を有している。筐体１２は、図４に示すように、上下に伸長する平行な２つの側壁１２Ａと１２Ｂと、それらを接続している上部接続部１２Ｃを有している。側壁１２Ａの下端は、外方に伸長するフランジ１２Ｄを有し、側壁１２Ｂの下端はフランジを有さず、下方に向かう端部となっている。フランジ１２Ｄには、図示省略の貫通孔が複数設けられ、これらの貫通孔を通して、フランジ１２Ｄはドア３０の下端部にボルトや木ねじなどにより固定される。図３Ａでは、フランジ１２Ｄがドア３０の下端部に４本のねじにより固定されている様子が模式的に示されている。なお、図３Ａは、実際には目視できないドア３０の内部をあたかもドア３０が透明部材で作成されているように透視して示している。Ｕ字状空洞１２Ｇの内部には、それぞれ対向するように内方に伸長する突起部１２Ｅ、１２Ｆがある。
【００１９】
プランジャー１４は、図５、図６、図７に示すようにプランジャー本体１４Ｈと、上部弾性部材１６と、下部弾性シール部材１８を有する。プランジャー本体１４Ｈは、上下に伸長する平行な２つの側壁１４Ａ、１４Ｂと、それらを接続している中間接続部１４Ｃを有している。側壁１４Ａ、１４Ｂの下端は、それぞれ向かい合う方向に伸長する突起部１４Ｄと１４Ｅを有している。したがって、プランジャー本体１４Ｈは、断面が略Ｈ字形状であって、上部に上向き略Ｕ字状空洞１４Ｆと下部に下向き略Ｕ字状空洞１４Ｇを有している。また、図１に示すように、上向き略Ｕ字状空洞１４Ｆには上部弾性部材１６が勘合し、下向き略Ｕ字状空洞１４Ｇには、下部弾性シール部材１８の上部１８Ａが嵌合している。
【００２０】
上部弾性部材１６は、平坦な上部１６Ａと、その下方に位置する断面が略Ｕ字状の下部１６Ｂとを有している。下部１６Ｂの側部には、それぞれ左右に伸長する小突起部１６Ｃが設けられている。上部弾性部材１６の材料としては、シリコンゴムを使用することができる。上部弾性部材１６は、ドアが開いてプランジャー１４が上昇するときに、突起部１２Ｅ、１２Ｆの下面に衝突して衝撃音を発生することを防止している。
【００２１】
下部弾性シール部材１８は、上部１８Ａの下部にくびれ部１８Ｂを介して２つの折り曲げ部１８Ｃ、１８Ｄを有している。これらの折り曲げ部１８Ｃ、１８Ｄは、両者で中空略楕円体を形成するように折り曲がり、それらの先端が重なるよう配されている。下部弾性シール部材１８の材料としては、シリコンゴムを使用することができる。
【００２２】
プランジャー１４は、図１に示すようにＵ字状空洞１２Ｇ中の突起部１２Ｅ、１２Ｆより下方の空間で上下に移動可能に取り付けられている。すなわち、図１は、プランジャー１４が上部に位置した状態を示し、図２は、プランジャー１４が降下した状態を示している。図１、図２に示すようにＵ字状空洞１２Ｇ中の突起部１２Ｅ、１２Ｆより上方の空間には、ロッド２０とロッド２０の端部に接続されたロッド端部部材２２があり、ロッド端部部材２２が、筐体１２の端部から筐体１２の長手方向外方に突出していて、ドア３０が閉められると、突出したロッド端部部材２２がドア枠などに当接し、ロッド２０が図示省略のバネ機構を押圧してプランジャー１４を下方に移動させる構造となっている。プランジャー１４が下方に移動すると、下部シール部材１８の折り曲げ部１８Ｃ、１８Ｄがドア枠の下部などと当接し、押圧され、圧縮され変形し、中空形状が内密平坦形状となる。一方、ドア３０が閉まった状態から、開かれると、ロッド端部部材２２がドア枠の下部などとの当接が解除され、バネ機構のバイアス力でプランジャー１４は上方に移動させられる。
【００２３】
本発明の第１の実施の形態では、図１に示すように、プランジャー１４の一方の側壁の外面に気密材として機能するテープ状のシール部２４を設けている。シール部２４は、プランジャー１４の全長にわたってプランジャー１４の側壁の外部に貼り付けられている。シール部２４は、本実施の形態では、厚さが１．１６ｍｍ、幅が６ｍｍであり、プランジャー１４の図１中の左側側壁の外部上端近傍に取り付けられている。なお、このシール部２４として日東電工株式会社製のイノアック（ポロン）＋日東（ＮＯ５０００ＮＳ）加工品であるＭＳ４０＋片面ＮＯ５０００ＮＳ、１．１６ｔ×６ｍｍ×５０Ｍを用いることができる。このシール部２４は、いわゆる片面テープであり、接着剤の付されている貼り付ける側のカバーシートを外してプランジャー１４に貼り付けられる。筐体１２の側壁１２Ａの内面とプランジャー１４の側壁１４Ａの外面との間のギャップがシール部２４により塞がれるため、気密効果を高めることができる。なお、片面テープに代えて、両面テープを使用すると、長時間の使用により露出しているテープカバーシートが摩擦で劣化し、内部の接着剤による摩擦が増大するなどの不具合が生じることがある。したがって、長時間の使用に適するのは片面テープである。
【００２４】
図８は、本発明のドア下端用気密機構の第２の実施の形態における筐体と、その内面に貼り付けられたシール部２４Ａを示す断面図である。第１の実施の形態では、シール部２４はプランジャー１４に貼り付けられていたが、第２の実施の形態では、筐体１２の側壁１２Ａの内面に貼りつけられている。この場合も第１の実施の形態と同様に、筐体１２の側壁１２Ａの内面とプランジャー１４の側壁１４Ａの外面との間のギャップがシール部２４Ａにより塞がれるため、気密効果を高めることができる。
【００２５】
なお、上記２つの実施の形態では、シール部２４、２４Ａが筐体１２とプランジャー１４の間の左右２つのギャップのうち、左側に設けているが、右側に設けるようにしてもよい。この場合もプランジャー１４の側壁１４Ｂの外面にシール部２４を貼り付けるか、あるいは、筐体１２の側壁１２Ｂの内面にシール部２４Ａを貼り付けることができる。さらに、筐体１２とプランジャー１４の間の左右２つのギャップの双方にシール部２４、２４Ａをそれぞれ貼り付けることができる。
【００２６】
表１は、シール部２４を設けない従来のドア下端用気密機構における機密性試験の結果を示すものであり、表２は、シール部２４を設けた本発明の第１の実施の形態にかかるドア下端用気密機構における機密性試験の結果を示すものである。これらの気密性試験は、ＪＩＳ  Ａ  ４７０２  （ドアセット）によるものであり、一般財団法人  建材試験センター  中央試験所にて、２０１２年６月８日に行われたものである。なおいずれの場合も、ドアの下端以外の３方には、シリコンゴムからなるパッキンあるいはシール部材と呼ばれる部材を用いている。すなわち、図３Ａに示すドアアセンブリ３４では、ドア３０が蝶番によりドア枠３２に取り付けられている構成において、シール部材２６Ａがドア枠３２の戸先側に取り付けられ、シール部材２６Ｂがドア枠３２の上枠側に取り付けられ、さらにシール部材２６Ｃがドア枠３２の吊元側に取り付けられている。図３Ｂは、図３Ａに示したドアアセンブリの部分省略横断面図であり、シール部材２６Ａ、２６Ｂは、そのドア当接面がドア３０のドア枠側に向けられ、シール部材２６Ｃは、そのドア当接面がドア３０の吊元側端部に向けられてそれぞれ取り付けられている。これらのシール部材２６Ａ〜２６Ｃの構成は、表１の気密試験と表２の気密試験に共通であり、これらのシール部材２６Ａ〜２６Ｃとしては、例えば出願人会社の実用新案登録第３００９４８２号に記載されたものと同等のものを用いている。すなわち、後述する図３Ｃ、図３Ｄに断面が示されるように、これらのシール部材２６Ａ〜２６Ｃは中空な細長いチューブ状の部材であり、弾性変形するものである。なお、図３Ａの例では通常の蝶番が複数用いられているが、ピボットヒンジやロングヒンジなど通常の蝶番とは異なる形態のドア取り付け部材を用いることができる。したがって、本願において「ヒンジ」とは通常の蝶番の他に上記他の形態のドア取付部材を含むものとする。
【００２７】
次に図３Ｃと図３Ｄにより、図３Ａ、図３Ｂとは部分的に異なるドアアセンブリの変形例について説明する。図３Ｃは、図３Ａのドアアセンブリの横断面図に相当する上記変形例の部分省略横断面図であり、シール部材２６Ａ、２６Ｃがドア枠３２の戸先側と吊元側にそれぞれ取り付けられている様子を示している。また、図３Ｄは、図３Ａのドアアセンブリの縦断面図に相当する上記変形例の部分省略縦断面図であり、シール部材２６Ｂがドア枠３２の上枠側に取り付けられている様子を示している。各シール部材２６Ａ〜２６Ｃは、平坦な取り付け用基部と、この基部の両端から伸長して相互に一体化して弧状の突起部を形成する部分とを有しているが、図３Ｃ、図３Ｄに示す変形例では、各シール部材２６Ａ〜２６Ｃの突起部がドア３０の一方の面、すなわち図３Ａ、図３Ｂに示されている表側ではなく、裏側の面に向かってドア枠３２に取り付けられている。このように、各シール部材２６Ａ〜２６Ｃが同一方向を向いてドア枠３２に取り付けられることにより、ドア３０が閉められたとき、各シール部材２６Ａ〜２６Ｃがドア３０によりドア枠３２に対して一様に押圧され、気密性能を十分に発揮することができる。
【００２８】
【表１】
2014114688.tif 000003
【００２９】
【表２】
2014114688.tif 000004
【００３０】
これらの表の比較から、昇圧時と降圧時のいずれの場合であっても、各圧力差値において、通気量はシール部２４を設けた場合は、設けない場合より、格段と少ないことがわかる。例えば、降圧時で、圧力差が１０Ｐａの負圧時には、通気量は３分の１以下となっている。
【００３１】
図９は、表１の結果をグラフに示したものである。このグラフに示されているように、従来のドア下端用気密機構では、Ａ−３等級線を満足している。一方、図１０は、表２の結果をグラフに示したものである。図１０のグラフに示されているように、本発明のドア下端用気密機構では、Ａ−４等級線を満足している。このように、本発明のドア下端用気密機構は、従来のシール部２４を設けていないドア下端用気密機構と比較すると、ＪＩＳ  Ａ  ４７０２  （ドアセット）の気密試験の結果が１ランク上の等級線に適合しており、その気密性が格段と向上したことが客観的に確認されたものである。なお、表１と図９は一般財団法人  建材試験センターが出願人会社宛に発行した品質性能試験報告書（発行番号：第１２Ａ０６４４号、発行日：平成２４年６月２９日）に含まれている内容から抜粋したものであり、表２と図１０は一般財団法人  建材試験センターが出願人会社宛に発行した品質性能試験報告書（発行番号：第１２Ａ０６４３号、発行日：平成２４年６月２９日）に含まれている内容から抜粋したものである。同センターによる試験は非公開であり、かつ上記報告書は、試験の依頼人である出願人会社以外の者に対しては非公開であるので、同試験並びにその報告書により本願発明は新規性を喪失していない。
【産業上の利用可能性】
【００３２】
本発明のドア下端用気密機構は、上述のように格段と向上した気密性能を示すので、気密ドアのみならず、防火ドア、防音ドア並びにそれらのドアアセンブリなどにも適用可能であり、劇場、映画館、各種式場、ホテル宴会室、ホテル客室、病院、クリーンルームを必要とする研究施設や工場、その他の商業施設ビル、オフィスビル、マンション、公共施設、学校、一般店舗、一般住宅などにおける開き戸や引き戸に適用可能であり、よって、これらに関する建材開発・製造業、建築業などの諸産業において有用である。  
【符号の説明】
【００３３】
１０  ドア下端用気密機構
１２  筐体
１２Ａ、１２Ｂ  筐体の側壁
１２Ｃ  接続部
１２Ｄ  フランジ
１２Ｅ、１２Ｆ  突起部
１２Ｇ  Ｕ字状空洞
１４  プランジャー（可動部）
１４Ａ、１４Ｂ  プランジャーの側壁
１４Ｃ  接続部
１４Ｄ、１４Ｅ  突起部
１４Ｆ  上向きＵ字状空洞
１４Ｇ  下向きＵ字状空洞
１４Ｈ  プランジャー本体
１６  上部弾性部材
１６Ａ  上部弾性部材の上部
１６Ｂ  上部弾性部材の下部
１６Ｃ  上部弾性部材の突起部
１８  下部弾性シール部材
１８Ａ  下部弾性シール部材の上部
１８Ｂ  くびれ部
１８Ｃ、１８Ｄ  折り曲げ部
２０  ロッド
２２  ロッド端部部材
２４、２４Ａ  テープ状のシール部
２６Ａ、２６Ｂ、２６Ｃ  中空シール部材
３０  ドア
３２  ドア枠
３４  ドアアセンブリ
【図１】
2014114688.tif 000005
【図２】
2014114688.tif 000006
【図３Ａ】
2014114688.tif 000007
【図３Ｂ】
2014114688.tif 000008
【図３Ｃ】
2014114688.tif 000009
【図３Ｄ】
2014114688.tif 000010
【図４】
2014114688.tif 000011
【図５】
2014114688.tif 000012
【図６】
2014114688.tif 000013
【図７】
2014114688.tif 000014
【図８】
2014114688.tif 000015
【図９】
2014114688.tif 000016
【図１０】
2014114688.tif 000017